(57)【要約】      （修正有）【課題】簡単な構成によって、容器に入った飲料を飲みごろの温度に調整できる保温器を提供する。【解決手段】保温器１は、飲料が入った容器を収容する本体１１と、本体１１の上面部に設けられた、外気を本体内に取り込む第１のファン１２と、本体１１の側面部に設けられた、第１のファン１２によって本体１１内に取り込まれた外気を本体１１外に排気する排気口と、本体１１の背部に設けられた、本体１１内の空気を取り込む第２のファンと、第２のファンによって取り込まれた空気を暖める、本体１１の背部に設けられたヒータと、ヒータによって暖められた空気を本体１１内に吹き出す吹き出し口と、を有する。【選択図】図１
0003204681.tif 000002
【実用新案登録請求の範囲】
【請求項１】
飲料が入った容器を収容する本体と、
前記本体の上面部に設けられた、外気を前記本体内に取り込む第１のファンと、
前記本体の側面部に設けられた、前記第１のファンによって前記本体内に取り込まれた外気を前記本体外に排気する排気口と、
前記本体の背部に設けられた、前記本体内の空気を取り込む第２のファンと、
前記第２のファンによって取り込まれた空気を暖める、前記本体の背部に設けられたヒータと、
前記ヒータによって暖められた空気を前記本体内に吹き出す吹き出し口と、
を有することを特徴とする保温器。
【請求項２】
請求項１に記載の保温器であって、
前記排気口は、
前記本体の側面部の外壁に設けられた第１の排気口と、
前記本体の側面部の内壁に設けられた第２の排気口と、
前記第１の排気口および前記第２の排気口を繋ぐ通風路と、を有し、
前記第１の排気口および前記第２の排気口は、前記本体の底面部からの高さが異なっている、
ことを特徴とする保温器。
【請求項３】
請求項１または２に記載の保温器であって、
前記第１のファンは、ユーザによって保温開始操作が行われたとき動作を開始し、第１の所定時間が経過すると、動作を停止し、
前記第２のファンおよび前記ヒータは、前記第１の所定時間が経過すると動作を開始し、
前記ユーザによって保温開始操作が行われた後、第２の所定時間が経過すると、前記飲料が飲みごろであることを通知する第１の通知部と、
前記ユーザによって保温開始操作が行われた後、第３の所定時間が経過すると、前記飲料が飲みごろ期限を過ぎたことを通知する第２の通知部と、
をさらに有することを特徴とする保温器。
【考案の詳細な説明】
【技術分野】
【０００１】
本考案は、飲料が入った容器を保温する保温器に関するものである。
【背景技術】
【０００２】
特許文献１には、「高さがおよそ８ｃｍ以上で、上方の開口部の、哺乳瓶Ｂを入れる部分の最短直径が、およそ５．５ｃｍないし１１ｃｍの容器本体Ａの上部に；哺乳瓶Ｂの上部を固定する手段１と、水道の蛇口等からの直接落下水の受け入れ部２と、横幅ｙがおよそ５ｃｍ以上の溢水口３とを設けたことを特徴とする哺乳瓶用温度調整器。」が開示されている。
【先行技術文献】
【特許文献】
【０００３】
【特許文献１】特開平７−５１３４４号公報
【考案の概要】
【考案が解決しようとする課題】
【０００４】
しかし、特許文献１では、水道水で哺乳瓶の温度を調整する。そのため、哺乳瓶の温度は、水道水の温度に影響され、適切な温度に調整することは困難である。
【０００５】
そこで本考案は、簡単な構成により、飲料を適切に飲みごろの温度に調整できる技術を提供することを目的とする。
【課題を解決するための手段】
【０００６】
本願は、上記課題の少なくとも一部を解決する手段を複数含んでいるが、その例を挙げるならば、以下の通りである。上記課題を解決すべく、本考案に係る保温器は、飲料が入った容器を収容する本体と、前記本体の上面部に設けられた、外気を前記本体内に取り込む第１のファンと、前記本体の側面部に設けられた、前記第１のファンによって前記本体内に取り込まれた外気を前記本体外に排気する排気口と、前記本体の背部に設けられた、前記本体内の空気を取り込む第２のファンと、前記第２のファンによって取り込まれた空気を暖める、前記本体の背部に設けられたヒータと、前記ヒータによって暖められた空気を前記本体内に吹き出す吹き出し口と、を有することを特徴とする。
【考案の効果】
【０００７】
本考案によれば、簡単な構成により、飲料を飲みごろの温度に調整できる。上記した以外の課題、構成、および効果は、以下の実施形態の説明により明らかにされる。
【図面の簡単な説明】
【０００８】
【図１】本考案の一実施形態に係る保温器の斜視図である。
【図２】図１の矢視Ｂから見た保温器の側面図である。
【図３】本体内の構成を説明するための保温器の斜視図である。
【図４】図３の哺乳瓶ガイドおよび簀子を説明する図である。
【図５】ファンによる外気の循環を説明する図である。
【図６】図５の排気部の斜視図である。
【図７】ヒータによる保温動作を説明する図のその１である。
【図８】ヒータによる保温動作を説明する図のその２である。
【図９】本体の背面板を外したときの保温器の図である。
【図１０】制御部の動作例を示したフローチャートである。
【考案を実施するための形態】
【０００９】
以下、本考案の実施の形態を、図面を参照して説明する。
【００１０】
図１は、本考案の一実施形態に係る保温器１の斜視図である。粉ミルクは、例えば、所定以上の温度のお湯によって溶かされることが推奨されている。そのため、お湯によって調乳された粉ミルクは、例えば、５０℃〜７０℃、場合によっては７０℃を超える場合がある。図１に示す保温器１は、このような温度の高いミルクを冷まし、例えば、４０℃等の飲みごろの温度に調整して保温する。また、保温器１は、例えば、産院、病院等、集団的に出産から育児に係る業務において使用される。
【００１１】
保温器１は、図１に示すように、本体１１と、ファン１２と、排気部１３ａと、扉１４と、蝶番１５ａ，１５ｂと、主電源スイッチ１６と、スタートボタン１７とを有している。
【００１２】
本体１１は、略立方体形状の外形を有している。本体１１は、内部に略立方体形状の空間（空洞）を有し、哺乳瓶が収容される。哺乳瓶には、お湯によって調乳されたミルクが入れられおり、そのミルクの温度（哺乳瓶の温度）は、例えば、上記したように、５０℃〜７０℃、場合によっては７０℃を超える。
【００１３】
ファン１２は、本体１１の上面部（上板）に設けられている。ファン１２は、回転によって本体１１の外の空気を本体１１内に取り込む。
【００１４】
排気部１３ａは、本体１１の正面から見て（−ｙ軸方向から見て）、右側の側面部（側板）に設けられている。排気部１３ａは、複数の開口（排気口）を有し（図１の例では８個）、ファン１２によって本体１１内に取り込まれた外気を、複数の排気口から本体１１の外に排気する。これにより、本体１１に収容された哺乳瓶は、ファン１２によって取り込まれた外気によって冷まされる。
【００１５】
排気部は、本体１１の正面から見て、左側の側板にも設けられている。図２は、図１の矢視Ｂから見た保温器１の側面図である。図２において、図１と同じものには同じ符号が付してある。
【００１６】
図２に示すように、本体１１は、左側の側板にも排気部１３ｂを有している。排気部１３ｂは、複数の開口（排気口）を有し（図２の例では８個）、ファン１２によって本体１１内に取り込まれた外気を、複数の開口から本体１１の外に排気する。これにより、本体１１に収容された哺乳瓶は、ファン１２によって取り込まれた外気によって冷まされる。
【００１７】
図１の説明に戻る。扉１４は、蝶番１５ａ，１５ｂによって、本体１１に対し、開閉可能に取り付けられている。扉１４は、蝶番１５ａ，１５ｂの回転軸を軸にして、本体１１に対し開閉する。哺乳瓶は、扉１４を開けることによって、本体１１内に入れられる。
【００１８】
主電源スイッチ１６は、保温器１に電力を供給するスイッチである。主電源スイッチ１６は、オンされると、例えば、赤色に点灯する。
【００１９】
スタートボタン１７は、保温器１を動作させるスイッチボタンである。保温器１は、主電源スイッチ１６が入れられて、スタートボタン１７が押下されると、後述する動作を開始する。
【００２０】
図１の保温器１を使用するには、まず、扉１４を開け、調乳したミルクが入った哺乳瓶を、本体１１に入れる。次に、扉１４を閉め、主電源スイッチ１６を入れる。そして、スタートボタン１７を押下する。スタートボタン１７は、所定時間が経過し、ミルクが飲みごろの温度になると、例えば、緑色に点灯する。
【００２１】
スタートボタン１７が押下された後の保温器１の動作は、大きく４つの動作に分けられる。１つ目の動作は、本体１１に入れられたミルクを冷ます動作である。２つ目の動作は、冷ましたミルクを、飲みごろの温度に調整し、保温（温度維持）する動作である。３つ目の動作は、ミルクが飲みごろの温度になったことをユーザに知らせる動作である。４つ目の動作は、３つ目の動作により、ミルクが飲みごろの温度になったことをユーザに知らせた後、一定時間が経過してしまい、保温期限を終了したことを知らせる動作である。
【００２２】
１．冷ます動作
１つ目の冷ます動作では、保温器１は、ファン１２を動作させる。保温器１は、スタートボタン１７が押下されることによって、ファン１２の動作を開始する。
【００２３】
ファン１２は、回転動作によって、外気を本体１１内に取り込む。ファン１２によって取り込まれた外気は、排気部１３ａ，１３ｂから排気される。これにより、本体１１内に入れられたミルクは、冷まされる。
【００２４】
保温器１は、予め決められた所定時間が経過すると、ファン１２の動作を停止する。予め決められた所定時間は、例えば、スタートボタン１７が押下されてから、「３５分」である。以下では、このファン１２を停止する時間を、「ファン停止時間」と呼ぶことがある。
【００２５】
保温器１は、予め決められたファン停止時間によって、ファン１２の動作を停止するため、ミルクの温度は、１つ目の冷ます動作の終了時（ファン停止時間）においては、飲みごろの温度より、低い場合や高い場合がある。例えば、保温器１を使用する部屋の温度が低ければ、ファン１２によって本体１１に取り込まれる外気の温度が低いため、ミルクは飲みごろの温度より低い場合がある。一方、保温器１を使用する部屋の温度が高ければ、ファン１２によって本体１１に取り込まれる外気の温度が高いため、ミルクは飲みごろの温度より高い場合がある。このように、ミルクの温度が、１つ目の冷ます動作で飲みごろの温度と異なっていても、保温器１は、次の動作により、ミルクの温度を飲みごろの温度に調整できる。
【００２６】
なお、本体１１に入れられた、調乳されたミルク（お湯で調乳された温度の高いミルク）は、ファン停止時間が経過したときには、１つ目の冷ます動作によって、少なくとも本体１１にミルクを入れたときよりも、飲みごろの温度に近づいている。または、飲みごろの温度になっている。
【００２７】
保温器１は、ファン停止時間が経過し、ファン１２の動作を停止すると、２つ目の、ミルクを飲みごろの温度に調整し、保温する動作に移行する。以下では、この２つ目の動作を、保温動作と呼ぶことがある。
【００２８】
２．保温動作
２つ目の保温動作では、保温器１は、後述するヒータをオン・オフし、本体１１内のミルクを、飲みごろの温度で保温する。例えば、保温器１は、ミルクが飲みごろの温度より低ければ、ヒータをオンし、ミルクが飲みごろの温度より高ければ、ヒータをオフする。
【００２９】
保温器１は、２つ目の保温動作の開始後（言い換えればファン停止時間後）、予め決められた所定時間が経過すると、３つ目の、ミルクの温度が飲みごろになったことをユーザに知らせる動作に移行する。以下では、この３つ目の動作を、ユーザ通知動作と呼ぶことがある。
【００３０】
３．ユーザ通知動作
３つ目のユーザ通知動作では、保温器１は、例えば、スタートボタン１７を緑色に点灯させ、ユーザにミルクが飲みごろになったことを通知する。
【００３１】
ユーザに飲みごろを通知する、予め決められた所定時間は、例えば、ファン停止時間後（保温動作開始後）、「２５分」である。上記例のように、ファン停止時間が、スタートボタン１７が押下されてから「３５分」であるとすると、ユーザに飲みごろを通知する、予め決められた所定時間は、スタートボタン１７が押下されてから「６０分（＝３５分＋２５分）」となる。以下では、スタートボタン１７が押下されてから、ユーザに飲みごろを通知する、予め決められた所定時間を、「ユーザ通知時間」と呼ぶことがある。
【００３２】
ここで、上記したように、ミルクの温度は、１つ目の冷ます動作の終了時（ファン停止時間）においては、飲みごろの温度より、低い場合や高い場合がある。しかし、ユーザ通知時間が経過するときには（例えば、スタートボタン１７を押下してから、６０分を経過するときには）、２つ目の保温動作により、ミルクの温度は、飲みごろの温度に保温されている。つまり、保温器１は、１つ目の冷ます動作の終了時に、ミルクが飲みごろの温度になっていなくても、ユーザ通知時間を経過するときには、ミルクを飲みごろの温度で保温している。
【００３３】
保温器１は、３つ目のユーザ通知動作を行った後でも、２つ目の保温動作を行っている。従って、例えば、スタートボタン１７が緑色に点灯した以降であれば、ユーザは、保温器１から、飲みごろの温度のミルクを得ることができる。
【００３４】
保温器１でミルクを保温し続けるのは、衛生上適切でない。そこで、保温器１は、３つ目のユーザ通知動作後、予め決められた所定時間が経過すると、ユーザにミルクの保温期限切れを通知する。以下では、ユーザにミルクの保温期限切れを通知する動作を「保温期限切れ通知動作」と呼ぶことがある。
【００３５】
４．保温期限切れ通知動作
上記したように、保温器１は、３つ目のユーザ通知動作後、予め決められた所定時間が経過すると、ユーザにミルクの保温期限切れを通知する。例えば、保温器１は、スタートボタン１７を消灯し、ユーザにミルクの保温期限切れを通知する。
【００３６】
ユーザにミルクの保温期限切れを通知する、予め決められた所定時間は、例えば、スタートボタン１７が緑色に点灯してから「６０分」（３つ目のユーザ通知動作後「６０分」）である。スタートボタン１７が押下されたときからでは、「１２０分（＝３５分＋２５分＋６０分）」となる。以下では、スタートボタン１７が押下されてから、ユーザにミルクの保温期限切れを通知する、予め決められた所定時間を、「保温期限切れ通知時間」と呼ぶことがある。
【００３７】
図３は、本体１１内の構成を説明するための保温器１の斜視図である。図３において、図１と同じものには同じ符号が付してある。図３では、図１に示した扉１４の図示を省略している。
【００３８】
図３に示すように、本体１１内には、哺乳瓶ガイド２１と、簀子２２とが収容されている。哺乳瓶ガイド２１および簀子２２は、本体１１内から取り出し可能となっている。
【００３９】
図３に示す哺乳瓶Ｃは、矢印Ｄに示すように、哺乳瓶ガイド２１に設けられた開口に入れられる。哺乳瓶ガイド２１に設けられた開口の径は、哺乳瓶Ｃが入るように、哺乳瓶Ｃの径より大きく形成されている。哺乳瓶Ｃを哺乳瓶ガイド２１の開口に入れると、哺乳瓶Ｃの底面は、簀子２２の上面で支えられる。
【００４０】
簀子２２は、複数の開口を有している。簀子２２に設けられた開口の径は、哺乳瓶Ｃの底面を支えるように（哺乳瓶Ｃが通過しないように）、哺乳瓶Ｃの径より小さく形成されている。
【００４１】
図４は、図３の哺乳瓶ガイド２１および簀子２２を説明する図である。図４の（Ａ）には、哺乳瓶ガイド２１および簀子２２の斜視図が示してある。図４の（Ｂ）には、哺乳瓶Ｃを哺乳瓶ガイド２１に収めたときの正面図が示してある。図４において、図３と同じものには同じ符号が付してある。
【００４２】
哺乳瓶ガイド２１は、図４の（Ａ）の例では、６つの開口を有している。従って、哺乳瓶Ｃは、保温器１の本体１１内に、最大で６個入れることができる。なお、図４の例では、哺乳瓶ガイド２１の開口の数は６個としているが、これに限られない。
【００４３】
図４の（Ａ）に示すように、哺乳瓶ガイド２１の足部２１ａ，２１ｂは、簀子２２の足部２２ａ，２２ｂより、ｚ軸方向の長さ（高さ）が長くなっている。これにより、簀子２２は、図４の（Ａ）の矢印Ｅに示すように、哺乳瓶ガイド２１の下側に収容されるようになっている。
【００４４】
図４の（Ｂ）に示すように、哺乳瓶ガイド２１の開口に哺乳瓶Ｃを入れると、哺乳瓶Ｃの底面は、複数の開口を有した簀子２２の上面で支えられる。これにより、図４の（Ｂ）に示すように、哺乳瓶Ｃの底面と、本体１１内の底面部との間には、隙間が生じ、後述するヒータによって暖められた空気が、哺乳瓶Ｃの下部の方にも循環する。
【００４５】
哺乳瓶ガイド２１は、本体１１内に置かれる哺乳瓶Ｃの位置を位置決めする。つまり、ユーザは、本体１１内において、哺乳瓶Ｃを偏った位置に置くことができないようになっている。これにより、本体１１内に入れられた哺乳瓶Ｃは、後述するヒータによって、偏って温度調整されることが抑制される。
【００４６】
なお、哺乳瓶Ｃは、本体１１の奥から順に入れるのが望ましい。後述するヒータによって暖められた空気は、本体１１内の背面から吹き出されるため、早く飲みごろの温度に調整できるためである。
【００４７】
また、内容量の違う哺乳瓶Ｃを本体１１内に入れる場合は、内容量の多いものを本体１１の奥に入れるのが望ましい。内容量が多いほど、温度調整に時間がかかるため、内容量の多い哺乳瓶を、本体１１内の背面近くに置くことにより、早く飲みごろの温度に調整できるためである。
【００４８】
図５は、ファン１２による外気の循環を説明する図である。図５には、図１の保温器１のＡ−Ａ矢視断面図が示してある。図５において、図１〜図３と同じものには同じ符号が付してある。図５では、保温器１の形状等を簡略化して図示している。
【００４９】
上記したように、スタートボタン１７が押下されると、ファン１２が回転する。これにより、図５の矢印Ｆ１，Ｆ２に示すように、本体１１の外の空気が、本体１１内に取り込まれる。
【００５０】
図５に示すように、排気部１３ａ，１３ｂのそれぞれは、通風路３１ａ，３１ｂを有している。本体１１内に取り込まれた空気は、矢印Ｆ３，Ｆ４に示すように、排気部１３ａ，１３ｂの通風路３１ａ，３１ｂを通って、本体１１の外へ排気される。
【００５１】
図６は、図５の排気部１３ｂの斜視図である。図６において、図５と同じものには同じ符号が付してある。
【００５２】
図６に示すように、排気部１３ｂは、排気口４１を有している。排気口４１は、本体１１内に外の埃等が入らないように、例えば、網の目状に形成されている。
【００５３】
排気口４１は、通風路３１ｂの一端と繋がっている。通風路３１ｂの他端は、図２に示した排気部１３ｂの排気口と繋がっている。すなわち、排気部１３ｂは、本体１１の側板の外壁に設けられた排気口（図２に示した排気口）と、本体１１の側板の内壁に設けられた排気口４１と、２つの排気口を繋ぐ通風路３１ｂとを有している。
【００５４】
排気部１３ｂが有する２つの排気口は、本体１１の底面部（底板）からの高さが異なっている。例えば、排気口４１は、図６に示すように、本体１１の側板の外壁に設けられた排気口（図２に示した排気口）より、ｚ軸方向において高い位置に設けられる。
【００５５】
図６の排気部１３ｂと同様に、図５に示した排気部１３ａも、本体１１の側板の外壁に設けられた排気口と、本体１１の側板の内壁に設けられた排気口と、２つの排気口を繋ぐ通風路とを有している。
【００５６】
このように、排気部１３ａ，１３ｂのそれぞれの２つの排気口の高さを、異なるようにすることによって、外気が、排気部１３ａ，１３ｂを介して、本体１１内に入りにくくすることができる。これにより、保温動作時における本体１１内の、外気による温度変化を抑制することができる。また、本体１１の側板の内壁に設けられた排気口の高さを、本体１１の側板の外壁に設けられた排気口の高さより高くすることによって、本体１１の上板に設けられたファン１２によって取り込まれる外気を、排出しやすくすることができる（図５の矢印Ｆ３，Ｆ４参照）。なお、図６に示す角度Ｇは、例えば、２０度〜４０度である。より望ましくは、角度Ｇは、３０度である。また、排気部１３ａ，１３ｂは、図示の構造に限られず、別の構造もあり得る。
【００５７】
図７は、ヒータによる保温動作を説明する図のその１である。図７には、図１の保温器１のＡ−Ａ矢視断面図が示してある。図７において、図１〜図３と同じものには同じ符号が付してある。図７では、保温器１の形状等を簡略化して図示している。
【００５８】
図７に示すように、本体１１内の背面５１には、吸気口５２と、吹き出し口５３とが設けられている。吸気口５２は、埃等を吸気しないように、例えば、網の目状に形成されている。また、吹き出し口５３も、埃等を本体１１内に吹き出さないように、例えば、網の目状に形成されている。
【００５９】
吸気口５２は、本体１１内の空気を吸気する吸気口である。吸気口５２から吸気された本体１１内の空気は、後述するヒータによって暖められ、吹き出し口５３から吹き出される。
【００６０】
なお、図５も図１の保温器１のＡ−Ａ矢視断面図であるが、空気の流れを説明する図であるため、吸気口５２および吹き出し口５３の図示を省略している。
【００６１】
図８は、ヒータによる保温動作を説明する図のその２である。図８には、図１の保温器１のＨ−Ｈ矢視断面図が示してある。図８において、図１、図３、および図７と同じものには同じ符号が付してある。なお、図８では、図６で説明した排気口４１の図示を省略している。また、図８では、保温器１の形状等を簡略化して図示している。
【００６２】
図８に示すように、本体１１内の背面５１の後方（＋ｙ軸方向）には、本体１１内の空気を循環するための通風路６１が設けられている。通風路６１には、ファン６２と、センサ６３と、ヒータ６４とが設けられている。
【００６３】
ファン６２は、回転によって本体１１内の空気を吸気口５２から吸気する。ファン６２によって吸気された本体１１内の空気は、矢印Ｉ１に示すように通風路６１を通り、吹き出し口５３から吹き出される。
【００６４】
センサ６３は、通風路６１を通過する空気の温度を計測する。ヒータ６４は、センサ６３によって計測された空気の温度に基づいて、オン・オフ動作をする。例えば、ヒータ６４は、通風路６１を通過する空気の温度が、所定温度以上になるとオフし、所定温度以下になるとオンする。これにより、通風路６１を通過する空気は、ヒータ６４がオンすることによって上昇し、また、ヒータ６４がオフすることによって降下する。
【００６５】
ヒータ６４によって温度調整された空気は、吹き出し口５３から本体１１内に吹き出される。吹き出し口５３から吹き出された空気は、矢印Ｉ２〜Ｉ５に示すように、本体１１内を循環し、ファン６２によって再び吸気口５２から吸気される。これにより、本体１１内に収容された哺乳瓶（ミルク）の温度は、飲みごろの温度に調整される。
【００６６】
図９は、本体１１の背面板Ｊを外したときの保温器１の図である。図８に示した背面板Ｊを外し、本体１１の背面方向（＋ｙ軸方向）から本体１１を見ると、図９に示すようになる。図９において、図８と同じものには同じ符号が付してある。図９では、保温器１の形状等を簡略化して図示している。
【００６７】
図９に示すように、保温器１は、制御部７１を有している。制御部７１は、上記した保温器１の冷ます動作、保温動作、およびユーザ通知動作を制御する。
【００６８】
制御部７１は、例えば、３つのタイマを備えている。第１のタイマは、スタートボタン１７が押下されてから、ファン１２の動作を停止するまでの時間（ファン停止時間）をカウントするタイマである。第１のタイマには、例えば、「３５分」が設定されている。
【００６９】
第２のタイマは、スタートボタン１７が押下されてから、ユーザ通知動作を行うまでの時間をカウントするタイマである。第２のタイマには、例えば、「６０分」が設定されている。なお、第２のタイマは、ファン停止時間から、ユーザ通知時間までをカウントしてもよい。この場合、第２のタイマには、例えば、「２５分」が設定される。
【００７０】
第３のタイマは、スタートボタン１７が押下されてから、保温期限切れ通知動作を行うまでの時間をカウントするタイマである。第３のタイマには、例えば、「１２０分」が設定されている。なお、第３のタイマは、ユーザ通知動作後から、保温期限切れ通知動作を行うまでの時間をカウントしてもよい。この場合、第３のタイマには、例えば、「６０分」が設定される。
【００７１】
上記では、ファン停止時間およびユーザ通知時間は、予め決められた時間であるとしたが、変更できるようにしてもよい。例えば、制御部７１の第１のタイマおよび第２のタイマの設定時間を変更できるようにしてもよい。具体的には、第１のタイマを「３５分」から「３０分」に変更し、第２のタイマを「６０分」から「６５分」に設定変更できるようにしてもよい。ただし、ユーザ通知時間が経過するときには、ミルクの温度が飲みごろの温度となるように、第１のタイマおよび第２のタイマを設定する必要がある。
【００７２】
また、保温期限切れ通知時間は、予め決められた時間であるとしたが、変更できるようにしてもよい。例えば、制御部７１の第３のタイマの設定時間を変更できるようにしてもよい。具体的には、第３のタイマを「１２０分」から「９０分」に設定変更できるようにしてもよい。
【００７３】
制御部７１は、スタートボタン１７が押下されると、本体１１の上板に設けられたファン１２を回転する。制御部７１は、スタートボタン１７が押下されてから、第１のタイマに設定された時間になると、本体１１の上板に設けられたファン１２の回転を停止する。
【００７４】
制御部７１は、ファン１２の回転を停止すると、本体１１の背部に設けられたファン６２を回転する。なお、制御部７１は、ファン６２を回転すると、主電源スイッチ１６がオフされるまで、ファン６２を回転し続ける。
【００７５】
制御部７１は、ファン６２を回転すると同時（ほぼ同時を含む）に、センサ６３によって、通風路６１を通過する空気の温度を監視し、本体１１内に収容された哺乳瓶のミルクの温度が飲みごろの温度となるよう、ヒータ６４を制御する。例えば、制御部７１には、ミルクの温度が４０℃になるように設定されているとする。この場合、制御部７１は、センサ６３によって検知される温度が４０℃となるようにヒータ６４を制御する。制御部７１に設定される、ミルクの飲みごろの温度は、変更できるようにしてもよい。
【００７６】
制御部７１は、第２のタイマに設定された時間になると、ミルクの温度が飲みごろの温度になったことをユーザに通知する。例えば、制御部７１は、スタートボタン１７を緑色に点灯する。
【００７７】
図１０は、制御部７１の動作例を示したフローチャートである。制御部７１は、ユーザによって、主電源スイッチ１６が入れられ、スタートボタン１７が押下されると（ユーザによって、保温開始操作が行われると）、図１０に示すフローチャートの処理を実行する。
【００７８】
まず、制御部７１は、冷ます動作を開始する（ステップＳ１）。すなわち、制御部７１は、図１に示したファン１２を回転させる。
【００７９】
次に、制御部７１は、第１のタイマ時間を経過したか否か判定する（ステップＳ２）。すなわち、制御部７１は、ファン停止時間が経過したか否か判定する。
【００８０】
制御部７１は、第１のタイマ時間が経過していないと判定した場合（Ｓ２の「Ｎｏ」）、ステップＳ１の冷ます動作を続け（ファン１２を回転し続け）、ステップＳ２の判定処理を行う。
【００８１】
制御部７１は、第１のタイマ時間が経過していると判定した場合（Ｓ２の「Ｙｅｓ」）、ステップＳ１の冷ます動作を停止する（ステップＳ３）。すなわち、制御部７１は、ファン１２の回転を停止する。
【００８２】
制御部７１は、ステップＳ３にて、冷ます動作を停止すると、保温動作を開始する（ステップＳ４）。すなわち、制御部７１は、図８に示したファン６２を回転させるとともに、センサ６３によって通風路６１を通過する空気の温度を監視し、本体１１内に入れられたミルクが、飲みごろの温度となるようにヒータ６４を制御する。
【００８３】
次に、制御部７１は、第２のタイマ時間を経過したか否か判定する（ステップＳ５）。すなわち、制御部７１は、ユーザ通知時間が経過したか否か判定する。
【００８４】
制御部７１は、第２のタイマ時間が経過していないと判定した場合（Ｓ５の「Ｎｏ」）、ステップＳ４の保温動作を続け（ファン６２を回転し続けるとともに、ヒータ６４を制御し続け）、ステップＳ５の判定処理を行う。
【００８５】
制御部７１は、第２のタイマ時間が経過していると判定した場合（Ｓ５の「Ｙｅｓ」）、ユーザ通知動作を行う（ステップＳ６）。すなわち、制御部７１は、スタートボタン１７を緑色に点灯させる。
【００８６】
次に、制御部７１は、第３のタイマ時間を経過したか否か判定する（ステップＳ７）。すなわち、制御部７１は、保温期限切れ通知時間が経過したか否か判定する。
【００８７】
制御部７１は、第３のタイマ時間が経過していないと判定した場合（Ｓ７の「Ｎｏ」）、ステップＳ４の保温動作を続け（ファン６２を回転し続けるとともに、ヒータ６４を制御し続け）、ステップＳ７の判定処理を行う。
【００８８】
制御部７１は、第３のタイマ時間が経過していると判定した場合（Ｓ７の「Ｙｅｓ」）、保温期限切れ通知動作を行う（ステップＳ８）。すなわち、制御部７１は、スタートボタン１７を消灯させる。そして、制御部７１は、主電源スイッチ１６がオフされると、当該フローチャートの処理を終了する。なお、制御部７１は、ステップＳ８の保温期限切れ通知動作後、ステップＳ４で開始した保温動作を終了してもよい。または、制御部７１は、主電源スイッチ１６がオフされるまで、ステップＳ４で開始した保温動作を続けてもよい。
【００８９】
以上説明したように、保温器１は、ミルクが入った哺乳瓶を収容する本体１１と、本体１１の上面部に設けられた、外気を本体１１内に取り込むファン１２と、本体１１の側面部に設けられた、ファン１２によって本体１１内に取り込まれた外気を本体１１外に排気する排気口と、本体１１の背部に設けられた、本体１１内の空気を取り込むファン６２と、ファン６２によって取り込まれた空気を暖める、本体１１の背部に設けられたヒータ６４と、ヒータ６４によって暖められた空気を本体１１内に吹き出す吹き出し口５３と、を備える。これにより、保温器１は、簡単な構成によって、哺乳瓶に入ったミルクを、適切な飲みごろの温度に調整することができる。また、保温器１は、飲みごろの温度のミルクを一定時間保温することができる。
【００９０】
また、保温器１は、簡単な構成により、コストを低減することができる。例えば、保温器１は、外気を利用してミルクを冷ますので、冷却器等を備える必要がなく、コストを低減することができる。また、保温器１は、主電源スイッチ１６を入れ、スタートボタン１７を押下することにより、動作を開始し、操作が簡単である。
【００９１】
また、お湯によって、哺乳瓶のミルクの温度を調整する保温器では、哺乳瓶を保温するお湯にミルクが洩れたりして汚れ、不衛生になることがある。また、ニップルにお湯が付着しないよう、取扱い上注意が必要である。これに対し、保温器１は、空気によって哺乳瓶のミルクの温度を調整するので衛生的である。
【００９２】
また、哺乳瓶ガイド２１および簀子２２は、本体１１から取り出し可能となっている。そのため、保温器１は、掃除がしやすく、衛生的である。また、本体１１内の哺乳瓶を収容する空間は、略立方体形状となっているため、本体１１内は掃除がしやすく、衛生的である。
【００９３】
また、保温器１は、第２のタイマ時間が経過すると、ユーザにミルクが飲みごろの温度であることを通知する。これにより、ユーザは、例えば、乳幼児に飲みごろの温度のミルクを与えることができる。また、保温器１は、第３のタイマ時間が経過すると、保温期限切れをユーザに通知する。これにより、ユーザは、例えば、保温期限切れのミルクを乳幼児に与えないようにすることができる。
【００９４】
なお、哺乳瓶の内容物は、ミルクに限られない。例えば、お茶やジュースであってもよい。また、保温器１には、哺乳瓶以外の飲料の入った容器が収容されてもよい。
【００９５】
以上、本考案について実施形態を用いて説明したが、本考案の技術的範囲は、上記実施形態に記載の範囲には限定されない。上記実施形態に多様な変更又は改良を加えることが可能であることが当業者には明らかである。また、そのような変更又は改良を加えた形態も本考案の技術的範囲に含まれ得ることが、実用新案登録請求の範囲の記載から明らかである。
【符号の説明】
【００９６】
１…保温器、１１…本体、１２…ファン、１３ａ，１３ｂ…排気部、１４…扉、１５ａ，１５ｂ…蝶番、１６…主電源スイッチ、１７…スタートボタン、２１…哺乳瓶ガイド、２２…簀子、３１ａ，３１ｂ…通風路、４１…排気口５１…背部、５２…吸気口、５３…吹き出し口、６１…通風路、６２…ファン、６３…センサ、６４…ヒータ、７１…制御部。
【図１】
0003204681.tif 000003
【図２】
0003204681.tif 000004
【図３】
0003204681.tif 000005
【図４】
0003204681.tif 000006
【図５】
0003204681.tif 000007
【図６】
0003204681.tif 000008
【図７】
0003204681.tif 000009
【図８】
0003204681.tif 000010
【図９】
0003204681.tif 000011
【図１０】
0003204681.tif 000012